(57)【要約】【課題】入浴時と非入浴時の双方において用いることが可能な介護用クッションを提供する。【解決手段】介護用クッション１は、袋状に形成された袋体１０と、袋体１０に充填された充填材２０とを備えている。袋体１０は、矩形状に形成され、両側部の対角となる位置に、他の部位よりも通気性を有するメッシュ部１６，１８が形成されている。充填材２０は、水よりも比重の重い材料、例えば、炭酸カルシウム及び抗菌剤が添加された低密度ポリエチレンから形成されている。【選択図】図２
2015181569.tif 000002
【特許請求の範囲】
【請求項１】
袋状に形成された袋体と、前記袋体に充填された充填材とを備える介護用クッションであって、
前記充填材は、水よりも比重の重い材料から形成されている
ことを特徴とする介護用クッション。
【請求項２】
前記袋体は、少なくとも一部に、他の部位よりも通気性を有するメッシュ部が形成されている
ことを特徴とする請求項１に記載の介護用クッション。
【請求項３】
前記袋体は、矩形状に形成され、
前記メッシュ部は、前記袋体の両側部にそれぞれ形成されている
ことを特徴とする請求項２に記載の介護用クッション。
【請求項４】
前記袋体の一の側部に形成されたメッシュ部と、他の側部に形成されたメッシュ部とは、互いに前記袋体の対角となる位置に形成されている
ことを特徴とする請求項３に記載の介護用クッション。
【請求項５】
前記充填材は、中空パイプ状に形成されている
ことを特徴とする請求項１〜４いずれか１項に記載の介護用クッション。
【請求項６】
前記充填材は、炭酸カルシウムを含有する低密度ポリエチレンから形成されている
ことを特徴とする請求項１〜５いずれか１項に記載の介護用クッション。
【請求項７】
前記充填材には、抗菌剤が添加されている
ことを特徴とする請求項６に記載の介護用クッション。
【発明の詳細な説明】
【技術分野】
【０００１】
本発明は、介護を要する高齢者や患者等の被介護者の入浴時に使用可能な介護用クッションに関するものである。
【背景技術】
【０００２】
従来、入浴時に使用可能なクッションとして、浴槽の上縁部に取り付けられ、入浴者の後頭部を載置させる浴槽用枕が知られている。このような浴槽用枕は、浴槽の満水時や浴槽から水が溢れ出る際に浴槽用枕が水に浮遊して流されないように、枕本体の底部に鉛等の重りが取り付けられている（特許文献１及び２）。
【先行技術文献】
【特許文献】
【０００３】
【特許文献１】特開２００２−２６２９８０号公報
【特許文献２】実用新案登録第３０３０８９６号公報
【発明の概要】
【発明が解決しようとする課題】
【０００４】
しかしながら、従来の浴槽用枕は、浴槽の上縁部に取り付けて使用される専用品であり、また、底部に鉛等の重りが取り付けられているため、入浴時以外には使用ができないものである。このため、例えばベッドに横臥する被介護者をリフト等により浴槽内に搬送して入浴させる特殊入浴装置を用いる場合等には、浴槽外における浴槽用枕を使用していない状態の被介護者の姿勢と、浴槽内における浴槽用枕を使用している状態の被介護者の姿勢とが異なることとなり、この際の体位変換により、被介護者に苦痛を与えるおそれがあるという問題がある。また、介護者においても、浴槽用枕の設置及びその位置調整や、被介護者の体位変換作業等の負担が生じるという問題がある。
【０００５】
そこで、本発明は、入浴時と非入浴時の双方において用いることが可能な介護用クッションを提供することを目的とする。
【課題を解決するための手段】
【０００６】
上記の目的を達成するため、本発明に係る介護用クッションは、袋状に形成された袋体と、前記袋体に充填された充填材とを備える介護用クッションであって、前記充填材は、水よりも比重の重い材料から形成されていることを特徴とする。
【０００７】
本発明に係る介護用クッションにおいて、前記袋体は、少なくとも一部に、他の部位よりも通気性を有するメッシュ部が形成されていることが好ましい。
【０００８】
本発明に係る介護用クッションにおいて、前記袋体は、矩形状に形成され、前記メッシュ部は、前記袋体の両側部にそれぞれ形成されていることが好ましい。
【０００９】
本発明に係る介護用クッションにおいて、前記袋体の一の側部に形成されたメッシュ部と、他の側部に形成されたメッシュ部とは、互いに前記袋体の対角となる位置に形成されていることが好ましい。
【００１０】
本発明に係る介護用クッションにおいて、前記充填材は、中空パイプ状に形成されていることが好ましい。
【００１１】
本発明に係る介護用クッションにおいて、前記充填材は、炭酸カルシウムを含有する低密度ポリエチレンから形成されていることが好ましい。
【００１２】
本発明に係る介護用クッションにおいて、前記充填材には、抗菌剤が添加されていることが好ましい。
【発明の効果】
【００１３】
本発明によれば、充填材が水よりも比重の重い材料から形成されることにより、鉛等の重りを取り付けることなく水中に沈むことが可能であるため、入浴時と非入浴時の双方において用いることが可能な介護用クッションを提供することができる。
【図面の簡単な説明】
【００１４】
【図１】本発明の一実施形態に係る介護用クッションを示す概略構成図である。図１（ａ）は、本実施形態に係る介護用クッションを右側から見た状態を示す斜視図であり、図１（ｂ）は、本実施形態に係る介護用クッションを左側から見た状態を示す斜視図である。
【図２】本実施形態に係る介護用クッションを一部切り欠いて示す概略構成図である。図２（ａ）は、本実施形態に係る介護用クッションを一部切り欠いて示す平面図であり、図２（ｂ）は、図２（ａ）のＡ−Ａ線に沿った断面を示す部分断面図である。
【図３】本実施形態に係る介護用クッションの使用状態の一例を示す説明図である。
【図４】本実施形態に係る介護用クッションの使用状態の他の例を示す説明図である。
【図５】本実施形態に係る介護用クッションの使用状態の他の例を示す説明図である。
【発明を実施するための形態】
【００１５】
次に、本発明の一実施形態に係る介護用クッションについて、図面に基づいて説明する。本実施形態に係る介護用クッション１は、図１（ａ）、図１（ｂ）、図２（ａ）及び図２（ｂ）に示すように、袋状に形成された袋体１０と、袋体１０に充填された充填材２０とを備えている。
【００１６】
袋体１０は、図１（ａ）及び図１（ｂ）に示すように、内部に充填材２０を充填可能な矩形の袋状に形成されている。袋体１０の両側部には、袋体１０内の空気若しくは水を優先的に袋体１０外へ流出させるための開口１０ａ，１０ｂがそれぞれ形成されている。また、これら開口１０ａ，１０ｂには、それぞれ、充填材２０の流出を防止するためのネット状のメッシュ部１６，１８が設けられている。これらメッシュ部１６，１８は、吸水性及び速乾性に優れる素材、例えばポリエステル等から形成されている。袋体１０の一の側部に形成された開口１０ａ及びメッシュ部１６と、他の側部に形成された開口１０ｂ及びメッシュ部１８とは、互いに袋体１０の対角となる位置に形成されている。具体的には、袋体１０の一の側部（図１（ａ）及び図１（ｂ）中、右側の側部）に形成された開口１０ａ及びメッシュ部１６は、袋体１０の側部における上端部から中途部に至る領域に形成されており、袋体１０の他の側部（図１（ａ）及び図１（ｂ）中、左側の側部）に形成された開口１０ｂ及びメッシュ部１８は、袋体１０の側部における中途部から下端部に至る領域に形成されている。
【００１７】
また、袋体１０のメッシュ部１６，１８以外の領域は、図２（ａ）及び図２（ｂ）に示すように、表生地１２が触り心地に優れた生地からなり、表生地１２の裏面側に積層される裏生地１４がネット状に形成された一又は複数のメッシュ生地からなる立体メッシュ構造を有している。これら表生地１２及び裏生地１４は、吸水性及び速乾性に優れる素材、例えばポリエステル等から形成されている。この袋体１０は、立体メッシュ構造を有する矩形状の生地を裏生地１４が向き合うように二枚重ね合わせ、両側部の対角部分に開口１０ａ，１０ｂが形成されるようにこれら二枚の生地の四方を縫合すると共に、開口１０ａ，１０ｂにメッシュ部１６，１８を縫合することにより、形成されている。袋体１０を構成する表生地１２、裏生地１４及びメッシュ部１６，１８には、それぞれ抗菌（防カビ）加工が施されている。
【００１８】
充填材２０は、例えば中空パイプ状に形成された中材であり、水よりも比重の重い材料から形成されている。このような水よりも比重の重い材料としては、例えば、低密度ポリエチレン等の比重が１未満の材料に対し、例えば炭酸カルシウム等の比重が１よりも大きい材料や、抗菌剤（防カビ剤）等を含有（添加）させることにより、比重が１より大きくなるように調整された材料を用いることができる。中空パイプ状の充填材２０としては、例えば、直径及び軸方向長さが数ｍｍ程度、具体的には直径が５ｍｍ程度で軸方向長さが５ｍｍ程度の比較的小型の円筒パイプを用いることが可能である。
【００１９】
以上のとおり、本実施形態に係る介護用クッション１は、袋状に形成された袋体１０と、袋体１０に充填された充填材２０とを備え、この充填材２０が、水よりも比重の重い材料から形成されている。このような本実施形態に係る介護用クッション１によれば、充填材２０が水よりも比重の重い材料から形成されていることにより、水中にスムーズに沈むことができるため、入浴時に使用することが可能である。また、本実施形態に係る介護用クッション１によれば、特許文献１及び２の浴槽用枕のように、鉛等の重りを取り付ける必要がないため、非入浴時においても、通常のクッションとして使用することが可能である。
【００２０】
このため、本実施形態に係る介護用クッション１は、例えば図３に示すように、非入浴時において、寝台１００上に横たわる被介護者の肩口や足回り等の保護や、被介護者の姿勢保持に使用することができ、また、リフト等により寝台１００を浴槽内に移動させ、被介護者の入浴を行う際においても、被介護者の肩口や足回り等の保護や、被介護者の姿勢保持に継続して使用することができる。この際、寝台１００及び被介護者の入水に伴って、介護用クッション１も浮き上がることなくスムーズに入水するため、浴槽外（非入浴時）における被介護者の姿勢を崩すことなく、被介護者の入水を行うことが可能である。なお、本実施形態に係る介護用クッション１は、このような使用態様以外にも様々な場面において使用することが可能である。例えば、図４に示すように、浴槽内での被介護者の首回りや膝関節等の保護にも用いることができ、また、図５に示すように、シャワーチェア２００の使用時における被介護者の姿勢保持等にも用いることができる。
【００２１】
また、本実施形態に係る介護用クッション１は、袋体１０の一部に、他の部位（すなわち、立体メッシュ構造を有する生地部分）よりも通気性を有するメッシュ部１６，１８が形成されている。このような本実施形態に係る介護用クッション１によれば、介護用クッション１内の空気や水をメッシュ部１６，１８を介してスムーズに介護用クッション１外に排出することができるため、入水時における介護用クッション１の浮き上がりを一層抑制することができると共に、介護用クッション１の脱水効率を一層向上させることができる。特に、本実施形態に係る介護用クッション１は、袋体１０の両側部にメッシュ部１６，１８が形成されているため、介護用クッション１からの空気や水の排出をより一層スムーズにすることができる。さらに、本実施形態に係る介護用クッション１は、袋体１０の一の側部に形成されたメッシュ部１６と、他の側部に形成されたメッシュ部１８とが、互いに袋体１０の対角となる位置に形成されていることにより、介護用クッション１の入退水角度や入退水方向に関わらず、介護用クッション１内全体の空気若しくは水をスムーズに流出させることができる。
【００２２】
さらに、本実施形態に係る介護用クッション１は、袋体１０のメッシュ部１６，１８以外の領域、すなわち、袋体１０のうち主に体が触れる部分が、触り心地に優れた生地からなる表生地１２と、一又は複数のメッシュ生地からなる裏生地１４とからなる立体メッシュ構造を有している。このような本実施形態に係る介護用クッション１によれば、触り心地、緩衝性（クッション性）、通気性、吸水性及び脱水性に優れたクッションとすることができる。
【００２３】
またさらに、本実施形態に係る介護用クッション１は、充填材２０が中空パイプ状に形成されることにより、充填材がビーズや綿等から形成される場合よりも、入水時における介護用クッション１からの空気抜けや、退水時における介護用クッション１からの水抜けがより一層促進されると共に、緩衝性（クッション性）をより一層向上させることができる。
【００２４】
また、本実施形態に係る介護用クッション１は、袋体１０を構成する表生地１２、裏生地１４及びメッシュ部１６，１８にそれぞれ抗菌（防カビ）加工が施されていると共に、充填材２０に抗菌剤（防カビ剤）が添加（配合）されていることにより、入浴に使用した場合であっても、カビの発生を抑制することができる。
【００２５】
本発明に係る介護用クッションは、上述した実施形態に限定されるものではなく、本発明の技術思想を逸脱しない範囲内において種々の改変を行なうことができる。
【００２６】
例えば、上述した本実施形態に係る説明では、袋体１０の両側部にメッシュ部１６，１８が対角部分に位置するように形成されるものとして説明したが、これに限定されず、袋体に形成されるメッシュ部の位置及びその数は、任意の位置及び数とすることができ、また、袋体にメッシュ部が形成されない構成としても良い。
【００２７】
また、上述した本実施形態に係る説明では、袋体１０のメッシュ部１６，１８以外の領域が立体メッシュ構造を有する生地から形成されるものとして説明したが、これに限定されず、袋体を形成する生地は、いかなる生地であっても良い。
【００２８】
さらに、上述した本実施形態に係る説明では、充填材２０が中空パイプ状に形成された中材であるものとして説明したが、これに限定されず、充填材は、水よりも比重の重い材料から形成されるものであれば、ビーズや繊維等の種々の形状としても良い。
【符号の説明】
【００２９】
１  介護用クッション、１０  袋体、１６，１８  メッシュ部、２０  充填材
【図１】
2015181569.tif 000003
【図２】
2015181569.tif 000004
【図３】
2015181569.tif 000005
【図４】
2015181569.tif 000006
【図５】
2015181569.tif 000007